(57)【要約】【課題】マニュアルでピント合わせを精度良く行う際に使用される拡大スイッチとマニュアルフォーカス操作部材の両者の操作性に優れた電子カメラを提供する。【解決手段】この電子カメラ１０は、カメラ本体の前方に突出したレンズ部１１が左手で保持され、右手でグリップ部が保持される。レンズ部１１には、左手で操作されるマニュアルフォーカスリング２４が設けられ、また、グリップ部を保持している右手の親指で操作可能な位置に拡大スイッチ６４が配置されている。マニュアルフォーカスモード時に、右手の親指で拡大スイッチ６４を押すと、液晶モニタ６８に表示される画像が拡大される。これにより、マニュアルフォーカスリング２４によるピント合わせを精度よく且つ素早く行うことができる。【選択図】  図４
2010051037.tif 000002
【特許請求の範囲】
【請求項１】
カメラ本体の前方に突出したレンズ部と、
前記レンズ部を保持した手で操作されるマニュアルフォーカスリングであって、ピント調整時に回転操作されるとともに前記レンズ部の前後方向に移動可能なマニュアルフォーカスリングと、
固体撮像素子を有する撮像手段と、
画像表示手段と、
前記画像表示手段に表示させる画像の倍率を現在の第１の倍率と該第１の倍率よりも高い第２の倍率との間で切り換える拡大スイッチであって、前記マニュアルフォーカスリングの前後方向の移動に連動して前記第１の倍率と第２の倍率とを切り換える拡大スイッチと、
前記拡大スイッチから前記第２の倍率への切換指示を受入すると、前記撮像手段によって取得した撮影画像から所定の部分画像を切り出し、該切り出した部分画像が前記第２の倍率となるように前記画像表示手段に拡大表示させ、前記拡大スイッチから前記第１の倍率への切換指示を受入すると、前記撮像手段によって取得した撮影画像を前記第１の倍率で前記画像表示手段に表示させる拡大処理手段と、
を備えたことを特徴とする電子カメラ。
【請求項２】
前記拡大処理手段は、前記切り出した部分画像を前記画像表示手段の表示画面よりも小さい所定の表示領域に拡大表示させ、前記第１の倍率で表示されている画像中に前記第２の倍率の画像を嵌め込み合成することを特徴とする請求項１に記載の電子カメラ。
【請求項３】
前記所定の表示領域を、前記画像表示手段の表示画面の１６分の１の画面から全画面までの範囲内で段階的又は任意に変更させる表示領域変更手段を有することを特徴とする請求項１又は２に記載の電子カメラ。
【請求項４】
前記第２の倍率を変更する倍率変更手段を有することを特徴とする請求項１乃至３のいずれかに記載の電子カメラ。
【請求項５】
前記拡大スイッチは、押されている間ＯＮして前記第２の倍率に切り換える切換指示を出力することを特徴とする請求項１に記載の電子カメラ。
【請求項６】
前記拡大スイッチは、ワンプッシュされるごとに交互にＯＮ／ＯＦＦして前記第２の倍率又は前記第１の倍率に切り換える切換指示を出力することを特徴とする請求項１に記載の電子カメラ。
【請求項７】
ズームスイッチを更に備え、前記拡大処理手段は、前記画像表示手段に第２の倍率の拡大時に前記ズームスイッチがテレ側に操作されると、記拡大表示を更に拡大表示させることを特徴とする請求項１に記載の電子カメラ。
【請求項８】
ズームスイッチを更に備え、前記拡大処理手段は、前記画像表示手段に第２の倍率の拡大時に前記ズームスイッチがテレ側に操作されると、前記画像表示手段における拡大表示領域を拡大させて更に拡大表示させることを特徴とする請求項１に記載の電子カメラ。
【発明の詳細な説明】
【技術分野】
【０００１】
本発明は電子カメラに係り、特にカメラ本体の前方に突出したレンズ部を保持した左手でマニュアルフォーカスリング等の操作部材を操作してピント調整を行う電子カメラの操作性の改善に関する。
【背景技術】
【０００２】
デジタルカメラ等の電子カメラに使用される固体撮像素子は画素数が多くなる傾向にあり、数百万画素のものがある。一方、電子カメラに設けられた液晶モニタの画素数は、６万画素からせいぜい１０万画素位のものが多い。従って、画素数の少ない液晶モニタをファインダーとして使用する場合には、記録やプリント出力に必要な精度のピント状態を確認することができず、マニュアルでピント合わせを精度良く行うことができないという問題がある。
【０００３】
そこで、従来、液晶モニタに表示される画像の一部を拡大して見ることができる拡大スイッチを設け、これにより実際に撮像される画像のピント状態を精度よく確認することができる電子カメラが提案されている（特許文献１）。
【先行技術文献】
【特許文献】
【０００４】
【特許文献１】特開平１１−２９８７９１号公報
【発明の概要】
【発明が解決しようとする課題】
【０００５】
しかしながら、上記拡大スイッチを操作しながらマニュアルフォーカスリングを操作してピント合わせを行おうとすると、操作がしにくく、素早くピント合わせを行うことができないという問題がある。一方、マニュアルフォーカスリングに手を触れると、自動的に拡大表示するようにすると、実際の撮影範囲を確認する場合にはマニュアルフォーカスリングから手を離さなければならず、また、マニュアルフォーカスリングの操作時に自動的に拡大表示するようにすると、マニュアルフォーカスリングを操作しなければ、ピント合わせのための拡大表示ができず、いずれの場合も操作性が悪いという問題がある。
【０００６】
本発明はこのような事情に鑑みてなされたもので、マニュアルでピント合わせを精度良く行う際に使用される拡大スイッチとマニュアルフォーカス操作部材の両者の操作性に優れた電子カメラを提供することを目的とする。
【課題を解決するための手段】
【０００７】
前記目的を達成するために請求項１に係る電子カメラは、カメラ本体の前方に突出したレンズ部と、前記レンズ部を保持した手で操作されるマニュアルフォーカスリングであって、ピント調整時に回転操作されるとともに前記レンズ部の前後方向に移動可能なマニュアルフォーカスリングと、固体撮像素子を有する撮像手段と、画像表示手段と、前記画像表示手段に表示させる画像の倍率を現在の第１の倍率と該第１の倍率よりも高い第２の倍率との間で切り換える拡大スイッチであって、前記マニュアルフォーカスリングの前後方向の移動に連動して前記第１の倍率と第２の倍率とを切り換える拡大スイッチと、前記拡大スイッチから前記第２の倍率への切換指示を受入すると、前記撮像手段によって取得した撮影画像から所定の部分画像を切り出し、該切り出した部分画像が前記第２の倍率となるように前記画像表示手段に拡大表示させ、前記拡大スイッチから前記第１の倍率への切換指示を受入すると、前記撮像手段によって取得した撮影画像を前記第１の倍率で前記画像表示手段に表示させる拡大処理手段と、を備えたことを特徴としている。
【０００８】
請求項１に係る電子カメラは、電子カメラを左右の手で保持した状態で（即ち、電子カメラを持ち替えることなく）、マニュアルフォーカスリングの操作（前後方向の操作と回転操作）のみで拡大スイッチの操作とピント調整とをそれぞれ行うことができ、マニュアルでピント合わせを素早く且つ精度良く行うことができる。
【０００９】
前記拡大処理手段は、請求項１に示すように前記切り出した部分画像を前記画像表示手段の表示画面よりも小さい所定の表示領域に拡大表示させ、前記第１の倍率で表示されている画像中に前記第２の倍率の画像を嵌め込み合成することを特徴としている。これにより、ピント合わせのための拡大表示と、画角確認のための表示とを同時に行うことができる。
【００１０】
請求項３に示すように前記所定の表示領域を、前記画像表示手段の表示画面の１６分の１の画面から全画面までの範囲内で段階的又は任意に変更させる表示領域変更手段を有することを特徴としている。また、請求項４に示すように前記第２の倍率を変更する倍率変更手段を有することを特徴としている。
【００１１】
上記表示領域変更手段や倍率変更手段により、ピント合わせのための拡大表示する表示領域の大きさやその倍率等を使用者の好みや使用時の状況に応じて変更することができる。
【００１２】
前記拡大スイッチは、請求項５に示すように押されている間ＯＮして前記第２の倍率に切り換える切換指示を出力することを特徴としている。
【００１３】
また、前記拡大スイッチは、請求項６に示すようにワンプッシュされるごとに交互にＯＮ／ＯＦＦして前記第２の倍率又は前記第１の倍率に切り換える切換指示を出力することを特徴としている。
【００１４】
請求項７に示すようにズームスイッチを更に備え、前記拡大処理手段は、前記画像表示手段に第２の倍率の拡大時に前記ズームスイッチがテレ側に操作されると、前記拡大表示を更に拡大表示させることを特徴としている。
【００１５】
請求項８に示すようにズームスイッチを更に備え、前記拡大処理手段は、前記画像表示手段に第２の倍率の拡大時に前記ズームスイッチがテレ側に操作されると、前記画像表示手段における拡大表示領域を拡大させて更に拡大表示させることを特徴としている。
【発明の効果】
【００１６】
本発明によれば、電子カメラを左右の手で保持した状態で、マニュアルフォーカスリングの操作（前後方向の操作と回転操作）のみで拡大スイッチの操作とピント調整とをそれぞれ行うことができ、マニュアルでピント合わせを素早く且つ精度良く行うことができ、操作性の向上を図ることができる。
【図面の簡単な説明】
【００１７】
【図１】本発明に係る電子カメラを右前方から見た斜視図
【図２】図１に示した電子カメラを後方から見た斜視図
【図３】図１に示した電子カメラを左前方から見た斜視図
【図４】本例の電子カメラを両手で保持した状態を示す図
【図５】本例の電子カメラの内部構成を示した要部ブロック図
【図６】電子カメラの液晶モニタの表示画面の一例を示す図
【図７】電子カメラの液晶モニタの表示画面の他の例を示す図
【図８】電子カメラの液晶モニタの表示画面の更に他の例を示す図
【発明を実施するための形態】
【００１８】
以下添付図面に従って本発明に電子カメラの好ましい実施の形態について説明する。
【００１９】
図１、図２及び図３はそれぞれ本発明に係る電子カメラを右前方から見た斜視図、後方から見た斜視図、及び左前方から見た斜視図である。
【００２０】
図１及び図３に示すように電子カメラ１０の前面には、カメラ本体から前方に突出する円筒状のレンズ部１１が設けられている。このレンズ部１１内には、進退自在な撮影レンズ１２が設けられており、また、レンズ部１１の先端部には、合焦位置を手動で調節する際に操作されるマニュアルフォーカスリング２４が設けられている。
【００２１】
また、電子カメラ１０の前面には、被写体像に光を照射して光量を補うポップアップ式のストロボ１６と、ストロボ１６の発光する光量を被写体までの距離に応じて調節するためのストロボ調光センサー１８と、セルフタイマーランプ２０と、電子カメラ１０を正確に保持するためのグリップ部２２とが設けられている。
【００２２】
尚、電子カメラ１０の側面には、マニュアルフォーカスリング２４を操作することによってピント合わせを行うマニュアルフォーカスモード（ＭＦモード）と自動的にピント合わせを行うオートフォーカスモード（ＡＦモード）とを切り換えるフォーカスモード切換えスイッチ３０と、広角側及び望遠側への焦点距離及び画角の調節を指示するズームスイッチ３２と、撮影時の撮影条件をワンタッチで電子カメラ１０の液晶モニタ６８に表示することを指示する情報ボタン３４と、撮影画像の露出補正量を指示する露出補正ボタン３６と、被写体像のホワイトバランスを調節するホワイトバランス調節ボタン３８と、ストロボ１６を利用可能状態の位置に設定するストロボポップアップボタン４０とが設けられている。また、電子カメラ１０のアクセサリーカバー４２内には、他の電子機器と情報の送受信を行うための通信コネクタ４４と、映像信号を送受信する映像信号端子４６と、外部から電源を供給する際に利用する電源端子４８とが設けられている。
【００２３】
図２に示すように電子カメラ１０の背面には、周囲が明るい場所であっても利用者が覗くことによって被写体像の確認を行うことが可能な液晶ファインダー５０と、上下左右の各方向を利用者が指示して電子カメラ１０に対して情報を入力する十字キー５２と、撮影時又は再生時のホワイトバランスや明るさ等の設定を行う場合、及び撮影済画像の撮影条件を次回の撮影する際の撮影条件として記録手段に記録することを指示する場合に利用するメニュー／実行ボタン５４（指示手段）と、処理のキャンセル又は処理を以前の状態に戻すことを指定するキャンセル／戻ボタン５６と、液晶モニタ６８に表示を指示する表示ボタン５８と、マルチファンクションの操作ボタンに対して他の処理を割り当てるシフトボタン６０とが設けられている。
【００２４】
また、電子カメラ１０の背面には、画像又は情報の表示を液晶ファインダー５０又は液晶モニタ６８に切り替えることを指示する表示切替ボタン６２と、被写体に対する合焦を確認するために拡大表示を指示する拡大スイッチ６４と、シャッターボタン８０の半押し時に測光した測光値を固定するＡＥロックボタン６６と、液晶モニタ６８とが設けられている。尚、電子カメラ１０の底面には、電池を装着する部分の覆いとなる電池カバー７２と三脚ねじ穴７４とが設けられている。
【００２５】
十字キー５２は、それぞれ対応する４方向（右、左、上、下）の指示を入力することができるもので、右キー、左キーは、再生モード時に順駒送りボタン及び逆駒送りボタンとしてそれぞれ機能し、上下キーは、撮影モード時にズーム倍率調整用のズームレバーとして機能する。メニュー／実行ボタン５４は、表示している画面を各モードの通常画面からメニュー画面へ遷移させる時、或いは、選択内容の確定、処理の実行、処理の確認指示の時などに使用するボタンである。また、電子カメラ１０のスロットカバー７０の内部には、図示しない挿抜可能なメモリカードを装着することが可能である。
【００２６】
図３に示すように電子カメラ１０の上面には、撮影を指示するシャッターボタン８０と、電子カメラ１０の動作又は非動作を指示する電源スイッチ８２と、電子カメラ１０を撮影又は再生のモードに設定するモード設定スイッチ８４と、ストロボの発光又は発光禁止を指示するストロボボタン８６と、マクロ撮影を指示するマクロボタン８８と、セルフタイマーボタン９０と、連写モードの設定又は解除を指示する連写ボタン９２と、電子カメラ１０の各種撮影モードを切り替えるモード切替ダイヤル９４と、各種モードを設定するコマンドダイヤル９６とが設けられている。
【００２７】
図４は上記電子カメラ１０を両手で保持した状態に関して示している。
【００２８】
同図に示すように、この電子カメラ１０は、両手で確実に保持できるように形成されている。即ち、左手でカメラ本体から前方に突出したレンズ部１１が保持され、右手でグリップ部２２が保持される。
【００２９】
また、レンズ部１１を保持した左手の人指し指及び親指によりマニュアルフォーカスリング２４が操作できるとともに、左手の親指の移動範囲内にフォーカスモード切換えスイッチ３０、及びズームスイッチ３２等が配置され、左手の親指のみを移動させてフォーカスモード切換えスイッチ３０、ズームスイッチ３２等が操作できるようになっている。
【００３０】
一方、グリップ部２２を保持した右手の人指し指によりシャッターボタン８０が操作できるとともに、右手の親指の移動範囲内に十字キー５２、メニュー／実行ボタン５４、表示ボタン５８、拡大スイッチ６４、及びＡＥロックボタン６６等が配置され、右手の親指のみを移動させて電子カメラ背面に設けられたスイッチ類が操作できるようになっている。
【００３１】
図５は上記電子カメラ１０の内部構成を示した要部ブロック図である。
【００３２】
この電子カメラは、シャッターボタン８０（図３参照）の操作により静止画をメモリカード１０６に記録するデジタルカメラである。尚、前述したようにこの電子カメラ１０は、液晶ファインダー５０と液晶モニタ６８とを有し、表示切替ボタン６２によって切り換えられた方に画像を表示するが、図４では液晶モニタ６８のみを示している。
【００３３】
この液晶モニタ６８は、撮影時には被写体像の画角やピント状態を確認することができる電子ビューファインダとして機能し、再生時にはメモリカード１０６に記録した静止画を表示するモニタとして機能する。
【００３４】
この電子カメラ１０での撮影時（シャッターボタン８０の全押しによる静止画の記録時に限らず、シャッターボタン半押し時又はムービー時に動画を液晶モニタ６８に表示させる場合も含む）には、撮影レンズ１２を介して固体撮像素子（ＣＣＤ）１００の受光面に結像した被写体像は、ここで光電変換されてＣＣＤ信号として順次読み出され、画像信号処理回路２０に加えられる。ここで、ＣＣＤ１００は、液晶モニタ６８及び液晶ファインダー５０の画素数よりも多いものが使用されている。
【００３５】
画像信号処理回路１０２は、ホワイトバランス調整回路、ガンマ補正回路、ＹＣ処理回路を含み、これらの回路によって処理した画像データを画像記録装置１０４、オートフォーカス装置（ＡＦ装置）１０８、及び拡大処理回路１１０に出力する。画像記録装置１０４は、圧縮回路、カードインタフェース等を有しており、シャッターボタン８０が操作されると、画像信号処理回路１０２のＹＣ処理回路からＹＣ信号（輝度信号Ｙとクロマ信号Ｃ）を受入し、このＹＣ信号を圧縮し、その圧縮した画像データをカードインタフェースを介してメモリカード１０６に記録する。
【００３６】
ＡＦ装置１０８は、フォーカスモード切換えスイッチ３０がＡＦモード側に切り換えられると動作可能となり、画像信号処理回路１０２から入力する輝度信号Ｙに基づいてコントラストＡＦを行う。即ち、ＡＦ装置１０８は、画像信号処理回路１０２から入力する輝度信号Ｙの高周波成分を抽出し、この高周波成分を積分することにより撮影コマの合焦状態を示す評価値を求める。そして、この評価値が極大となるように撮影レンズ１２を制御する。尚、この撮影レンズ１２は、フォーカスモード切換えスイッチ３０がＭＦモード側に切り換えられると、手動でマニュアルフォーカスリング２４を操作することによってピント合わせを行うことができるようになっている。
【００３７】
拡大処理回路１１０は、通常は画像信号処理回路１０２から入力する１コマ全体の画像信号を液晶モニタ６８の画面サイズに応じて間引き処理等によりリサイズし、このリサイズした画像信号を表示回路１１２に出力するが、拡大スイッチ６４が押された場合（ＯＮした場合）、又は前記フォーカスモード切換えスイッチ３０がＭＦモード側に切り換えられ且つ拡大スイッチ６４が押された場合に動作可能となり、以下に示す画像処理を行う。
【００３８】
即ち、拡大処理回路１１０は、１コマ全体の画像信号を液晶モニタ６８の画面サイズに応じてリサイズした画像信号を生成するとともに、１コマ全体の画像信号から、図６に示すように所定の領域６９Ａの部分画像の画像信号を抽出し、前記部分画像が液晶モニタ６８上の領域６９Ｂに表示されるように前記部分画像の画像信号をリサイズする。そして、前記リサイズされた１コマ全体の画像信号に部分画像の画像信号を上書きし、これにより１コマ全体の画像中にその画像よりも倍率の高い部分画像が嵌め込み合成された合成画像の画像信号を表示回路１１２に出力する。尚、拡大処理回路１１０は、拡大スイッチ６４の押されている間だけ中央部が拡大された合成画像を生成する。
【００３９】
表示回路１１２は、前記拡大スイッチ６４のＯＮ／ＯＦＦに応じて前記拡大処理回路１１０を介して入力する画像信号に基づいて液晶モニタ６８に図６（Ａ）に示す画像、又は図６（Ｂ）に示す中央部が拡大されたピクチャー・イン・ピクチャーの画像を表示させる。
【００４０】
次に、上記構成の電子カメラ１０の作用について説明する。
【００４１】
いま、拡大スイッチ６４が押されていない場合（ＯＦＦされている場合）には、図６（Ａ）に示すように１コマ全体の画像が液晶モニタ６８に表示される。
【００４２】
ここで、フォーカスモード切換えスイッチ３０によってＡＦモードからＭＦモードに切り換えると、マニュアルフォーカスリング２４を操作することによってピント合わせを行うことができるが、液晶モニタ６８の画素数が少ないため、現在のピント状態を正確に把握できない。
【００４３】
そこで、図４に示すように右手の親指によって拡大スイッチ６４を押すと、図６（Ｂ）に示すように中央部が拡大された画像が液晶モニタ６８に表示される。これにより、液晶モニタ６８の中央部の拡大された画像によってピント状態を確認しながらマニュアルフォーカスリング２４を操作することができ、マニュアルでピント合わせを精度良く行うことができる。尚、この場合に、電子カメラ１０を保持している左右の手のひらは移動せず、指のみを動かせばよく、操作性がよい。また、フォーカスモード切換えスイッチ３０も左手の親指のみを移動させるだけで操作でき、ＡＦモードからＭＦモードへの切換え、拡大スイッチ６４のＯＮ／ＯＦＦ操作、及びマニュアルフォーカスリング２４の回転操作の一連の操作を電子カメラ１０を左右の手で保持したまま指の動作のみで行うことができ、操作性がよい。
【００４４】
この実施の形態では、拡大スイッチ６４は押している間だけＯＮするスイッチであるが、ワンプッシュするごとに交互にＯＮ／ＯＦＦするスイッチでもよい。この場合でもグリップ部２２を保持した右手で拡大スイッチ６４が操作できるため、素早い操作ができる。
【００４５】
また、この実施の形態では、拡大スイッチ６４を、グリップ部２２を保持した右手で操作できる位置に配置し、フォーカスモード切換えスイッチ３０を、レンズ部１１を保持した左手の親指で操作できる位置に配置したが、これとは逆に、フォーカスモード切換えスイッチ３０を、グリップ部２２を保持した右手で操作できる位置に配置し、拡大スイッチ６４を、レンズ部１１を保持した左手の親指で操作できる位置に配置するようにしてもよい。更に、フォーカスモード切換えスイッチ３０及び拡大スイッチ６４の両者を、グリップ部２２を保持した右手で操作できる位置、又はレンズ部１１を保持した左手の親指で操作できる位置のいずれか一方に配置するようにしてもよい。
【００４６】
また、マニュアルフォーカスリングをレンズ部１１の前後方向にも移動できるように構成し、このマニュアルフォーカスリングの前後方向の移動に連動して拡大スイッチをＯＮ／ＯＦＦし、及び／又はフォーカスモード切換えスイッチによるＭＦモード／ＡＦモードの切り換えを行うようにしてもよい。
【００４７】
次に、拡大スイッチ６４をＯＮにし、中央部が拡大された画像が液晶モニタ６８に表示された状態で、ズームスイッチ３２を操作した場合について説明する。  この場合、図５に示す拡大処理回路１１０は、ズームスイッチ３２のズーム指令に応じて１コマ全体の画像のうちの拡大する所定の部分画像の切り出し範囲を変更し、その切り出した部分画像を液晶モニタ６８の所定の領域６９Ｂに表示させるように画像処理する。
【００４８】
前述したように拡大スイッチ６４をＯＮにすると、図７（Ａ）に示す所定の部分画像は、図７（Ｂ）に示す所定の領域６９Ｂに拡大表示されるが、ここで例えば、ズームスイッチ３２をテレ側に操作すると、図７（Ｂ）に示されている所定領域内の画像は、図７（Ｃ）に示すように更に拡大表示される。
【００４９】
また、上記実施の形態では、拡大スイッチ６４を押したときの拡大画像は、液晶モニタ６８上の中央部の所定の領域６９Ｂに表示されるが、図８（Ａ）乃至（Ｃ）に示すように液晶モニタ６８上での拡大画像の表示領域を段階的に又は連続的に変化させるようにしてもよい。尚、液晶モニタ６８上で拡大画像の表示領域が大きくなると、部分画像の拡大倍率が大きくなるため、上記と同様にズームスイッチ３２の操作によって表示領域を変化させるようにしてもよい。また、表示領域は、実用上、液晶モニタ６８の表示画面の１６分の１の画面から全画面までの範囲内で変更させることが好ましい。
【符号の説明】
【００５０】
１０…電子カメラ、１２…撮影レンズ、２２…グリップ部、２４…マニュアルフォーカスリング、３０…フォーカスモード切換えスイッチ、３２…ズームスイッチ、５０…液晶ファインダー、６４…拡大スイッチ、６８…液晶モニタ、８０…シャッターボタン、１００…固体撮像素子（ＣＣＤ）、１０４…画像記録装置、１０６…メモリカード、１０８…ＡＦ装置、１１０…拡大処理回路
【図１】
2010051037.tif 000003
【図２】
2010051037.tif 000004
【図３】
2010051037.tif 000005
【図４】
2010051037.tif 000006
【図５】
2010051037.tif 000007
【図６】
2010051037.tif 000008
【図７】
2010051037.tif 000009
【図８】
2010051037.tif 000010
【手続補正書】
【提出日】平成21年12月11日(2009.12.11)
【手続補正１】
【補正対象書類名】特許請求の範囲
【補正対象項目名】請求項７
【補正方法】変更
【補正の内容】
【請求項７】
ズームスイッチを更に備え、前記拡大処理手段は、前記画像表示手段に第２の倍率の拡大時に前記ズームスイッチがテレ側に操作されると、前記拡大表示を更に拡大表示させることを特徴とする請求項１に記載の電子カメラ。